(57)【要約】情報記録装置（２）は、記録媒体にレーザ光を照射して記録信号に対応する記録マークを形成する情報記録装置であって、レーザ光を出射する光源（２１）と、記録信号に基づいて光源を駆動する記録パルス信号を生成する信号生成手段（２２）とを備え、記録パルス信号は、マーク期間とスペース期間とを含み、記録パルス信号のレベルは、長マークに対応するマーク期間においては、波形歪みが、リミットイコライザ（１５）における振幅制限値の上限（Ｌ）以上又は下限（−Ｌ）以下となる記録パワーに対応する。
2008053544.tif 000002
【特許請求の範囲】
【請求項１】
記録媒体にレーザ光を照射して記録信号に対応する記録マークを形成する情報記録装置であって、
前記レーザ光を出射する光源と、
前記記録信号に基づいて前記光源を駆動する記録パルス信号を生成する信号生成手段と
を備え、
前記記録パルス信号は、前記記録マークを形成するマーク期間と、前記記録マークを形成しないスペース期間とを含み、
前記記録パルス信号のレベルは、長マークに対応するマーク期間においては、前記記録マークを読み取ることで得られる読取信号の波形歪みが、前記読取信号の高域強調を行うリミットイコライザにおける振幅制限値の上限以上又は下限以下となる記録パワーに対応することを特徴とする情報記録装置。
【請求項２】
記録媒体にレーザ光を照射して記録信号に対応する記録マークを形成する情報記録装置であって、
前記レーザ光を出射する光源と、
前記記録信号に基づいて前記光源を駆動する記録パルス信号を生成する信号生成手段とを備え、
前記記録パルス信号は、前記記録マークを形成するマーク期間と、前記記録マークを形成しないスペース期間とを含み、
前記記録パルス信号のレベルは、長マークに対応するマーク期間においては、前記記録マークを読み取ることで得られる読取信号の波形歪みが、２番目に短い記録マークを読み取ることで得られる読取信号の最大振幅以上又は最小振幅以下となる記録パワーに対応することを特徴とする情報記録装置。
【請求項３】
記録媒体にレーザ光を照射して記録信号に対応する記録マークを形成する情報記録装置であって、
前記レーザ光を出射する光源と、
前記記録信号に基づいて前記光源を駆動する記録パルス信号を生成する信号生成手段とを備え、
前記記録パルス信号は、前記記録マークを形成するマーク期間と、前記記録マークを形成しないスペース期間とを含み、
前記記録パルス信号のレベルは、長マークに対応するマーク期間においては、前記記録マークを読み取ることで得られる読取信号の波形歪みが、最も短い記録マークを読み取ることで得られる読取信号の最大振幅以上又は最小振幅以下となる記録パワーに対応することを特徴とする情報記録装置。
【請求項４】
前記記録パルス信号のレベルは、長マークに対応するマーク期間においては、再生互換性が確保される記録パワーに対応することを特徴とする請求の範囲第１項に記載の情報記録装置。
【請求項５】
前記再生互換性が確保される記録パワーは、変調度が所定範囲内となる記録パワーであることを特徴とする請求の範囲第４項に記載の情報記録装置。
【請求項６】
前記変調度が所定範囲内となる記録パワーは、変調度が４０％以上となる記録パワーであることを特徴とする請求の範囲第５項に記載の情報記録装置。
【請求項７】
前記記録パルス信号のレベルは、短マークに対応するマーク期間においては、アシンメトリが所定範囲内となる記録パルス幅及び記録パワーの少なくとも一つに対応することを特徴とする請求の範囲第１項に記載の情報記録装置。
【請求項８】
前記アシンメトリが所定範囲内となる記録パワーは、アシンメトリが−０．１０〜０．１５の範囲内となる記録パワーであることを特徴とする請求の範囲第７項に記載の情報記録装置。
【請求項９】
前記短マークは最も短い記録マークであり、前記長マークは前記短マーク以外の記録マークであることを特徴とする請求の範囲第７項に記載の情報記録装置。
【請求項１０】
前記短マークは最も短い記録マーク及び２番目に短い記録マークであり、前記長マークは前記短マーク以外の記録マークであることを特徴とする請求の範囲第７項に記載の情報記録装置。
【請求項１１】
前記短マークは信号レベルが最大振幅とならない記録マークであり、前記長マークは信号レベルが最大振幅となる記録マークであることを特徴とする請求の範囲第７項に記載の情報記録装置。
【請求項１２】
記録媒体にレーザ光を照射して記録信号に対応する記録マークを形成する情報記録方法であって、
前記記録信号に基づいて光源を駆動する記録パルス信号を生成する信号生成工程と、
前記記録パルス信号に基づいて前記記録媒体上にレーザパルスを照射する照射工程と
を備え、
前記記録パルス信号は、前記記録マークを形成するマーク期間と、前記記録マークを形成しないスペース期間とを含み、
前記記録パルス信号のレベルは、長マークに対応するマーク期間においては、前記記録マークを読み取ることで得られる読取信号の波形歪みが、前記読取信号の高域強調を行うリミットイコライザにおける振幅制限値の上限以上又は下限以下となる記録パワーに対応することを特徴とする情報記録方法。
【請求項１３】
記録媒体にレーザ光を照射して記録信号に対応する記録マークを形成する情報記録方法であって、
前記記録信号に基づいて光源を駆動する記録パルス信号を生成する信号生成工程と、
前記記録パルス信号に基づいて前記記録媒体上にレーザパルスを照射する照射工程と
を備え、
前記記録パルス信号は、前記記録マークを形成するマーク期間と、前記記録マークを形成しないスペース期間とを含み、
前記記録パルス信号のレベルは、長マークに対応するマーク期間においては、前記記録マークを読み取ることで得られる読取信号の波形歪みが、２番目に短い記録マークを読み取ることで得られる読取信号の最大振幅以上又は最小振幅以下となる記録パワーに対応することを特徴とする情報記録方法。
【請求項１４】
記録媒体にレーザ光を照射して記録信号に対応する記録マークを形成する情報記録方法であって、
前記記録信号に基づいて光源を駆動する記録パルス信号を生成する信号生成工程と、
前記記録パルス信号に基づいて前記記録媒体上にレーザパルスを照射する照射工程と
を備え、
前記記録パルス信号は、前記記録マークを形成するマーク期間と、前記記録マークを形成しないスペース期間とを含み、
前記記録パルス信号のレベルは、長マークに対応するマーク期間においては、前記記録マークを読み取ることで得られる読取信号の波形歪みが、最も短い記録マークを読み取ることで得られる読取信号の最大振幅以上又は最小振幅以下となる記録パワーに対応することを特徴とする情報記録方法。
【請求項１５】
光源を備える情報記録装置において実行され、記録媒体にレーザ光を照射して記録信号に対応する記録マークを形成するためのコンピュータプログラムであって、
前記記録信号に基づいて光源を駆動する記録パルス信号を生成する信号生成工程と、
前記記録パルス信号に基づいて前記記録媒体上にレーザパルスを照射する照射工程と
を前記情報記録装置に実行させ、
前記記録パルス信号は、前記記録マークを形成するマーク期間と、前記記録マークを形成しないスペース期間とを含み、
前記記録パルス信号のレベルは、長マークに対応するマーク期間においては、前記記録マークを読み取ることで得られる読取信号の波形歪みが、前記読取信号の高域強調を行うリミットイコライザにおける振幅制限値の上限以上又は下限以下となる記録パワーに対応することを特徴とするコンピュータプログラム。
【請求項１６】
光源を備える情報記録装置において実行され、記録媒体にレーザ光を照射して記録信号に対応する記録マークを形成するためのコンピュータプログラムであって、
前記記録信号に基づいて光源を駆動する記録パルス信号を生成する信号生成工程と、
前記記録パルス信号に基づいて前記記録媒体上にレーザパルスを照射する照射工程と
を前記情報記録装置に実行させ、
前記記録パルス信号は、前記記録マークを形成するマーク期間と、前記記録マークを形成しないスペース期間とを含み、
前記記録パルス信号のレベルは、長マークに対応するマーク期間においては、前記記録マークを読み取ることで得られる読取信号の波形歪みが、２番目に短い記録マークを読み取ることで得られる読取信号の最大振幅以上又は最小振幅以下となる記録パワーに対応することを特徴とするコンピュータプログラム。
【請求項１７】
光源を備える情報記録装置において実行され、記録媒体にレーザ光を照射して記録信号に対応する記録マークを形成するためのコンピュータプログラムであって、
前記記録信号に基づいて光源を駆動する記録パルス信号を生成する信号生成工程と、
前記記録パルス信号に基づいて前記記録媒体上にレーザパルスを照射する照射工程と
を前記情報記録装置に実行させ、
前記記録パルス信号は、前記記録マークを形成するマーク期間と、前記記録マークを形成しないスペース期間とを含み、
前記記録パルス信号のレベルは、長マークに対応するマーク期間においては、前記記録マークを読み取ることで得られる読取信号の波形歪みが、最も短い記録マークを読み取ることで得られる読取信号の最大振幅以上又は最小振幅以下となる記録パワーに対応することを特徴とするコンピュータプログラム。
【発明の詳細な説明】
【技術分野】
【０００１】
本発明は、例えば記録媒体にデータを記録する情報記録装置及び方法、並びにコンピュータをこのような情報記録装置として機能させるコンピュータプログラムの技術分野に関する。
【背景技術】
【０００２】
ＤＶＤ−Ｒ（DVD-Recordable）、ＤＶＤ−ＲＷ（DVD-Re-writable）等の書き込み又は書換可能な記録媒体には、光ディスクの記録面上にレーザ光を照射してデータを記録する。記録媒体の記録面上のレーザ光が照射された部分は、温度が上昇するために記録膜に変化が生じ、これにより記録マークが記録面上に形成される。【０００３】
よって、記録すべきデータに応じた時間幅を有する記録パルスでレーザ光を変調して、記録すべきデータに応じた長さのレーザパルスを生成し、これを記録媒体に照射することにより、記録すべきデータに応じた長さの記録マークを記録媒体上に形成することができる。【０００４】
他方で、データが高密度記録されている記録媒体から読み取られた読取信号のＳＮ比を改善すべく、かかる読取信号に対して高域を強調するフィルタリング処理を施して波形等化を行う技術が知られている。特に、特許文献１によれば、読取信号の振幅制限を行った後にフィルタリング処理を行うことで、符号間干渉を生じさせることなく、高域を強調することができる技術（いわゆるリミットイコライザに関する技術）が開示されている。【０００５】
【特許文献１】特許第３４５９５６３号
【発明の開示】
【発明が解決しようとする課題】
【０００６】
ここで、読取信号には波形歪みが生じ得る。波形歪みとは、本来とるべき信号レベルと実際に読取信号ＲＲＦに現れた信号レベルとの間にずれが生じている状態を示す。このような波形歪みが、リミットイコライザにおける振幅制限を行う範囲内に含まれてしまうと（つまり、波形歪みとリミットイコライザにおける振幅制限値との干渉性が高くなるほど）、振幅制限の後に行われる高域強調によって波形歪みがより一層強調されることにつながる。これにより、例えばランレングスが相対的に長い記録マークを他の記録マークと誤判別してしまう不都合につながりかねない。具体的には、例えば、ランレングスが８Ｔの記録マークを、ランレングスが４Ｔの記録マークと、ランレングスが２Ｔのスペースと、ランレングスが２Ｔの記録マークとして誤判別してしまう不都合につながりかねない。【０００７】
本発明は、例えば上述した従来の問題点に鑑みなされたものであり、例えばより良好に振幅制限を行いながら波形等化を行うことができるデータを記録媒体に記録することができる情報記録装置及び方法、並びにコンピュータプログラムを提供することを課題とする。
【課題を解決するための手段】
【０００８】
上記課題を解決するために、本発明の第１の情報記録装置は、記録媒体にレーザ光を照射して記録信号に対応する記録マークを形成する情報記録装置であって、前記レーザ光を出射する光源と、前記記録信号に基づいて前記光源を駆動する記録パルス信号を生成する信号生成手段とを備え、前記記録パルス信号は、前記記録マークを形成するマーク期間と、前記記録マークを形成しないスペース期間とを含み、前記記録パルス信号のレベルは、長マークに対応するマーク期間においては、前記記録マークを読み取ることで得られる読取信号の波形歪みが、前記読取信号の高域強調を行うリミットイコライザにおける振幅制限値の上限以上又は下限以下となる記録パワーに対応する。【０００９】
上記課題を解決するために、本発明の第２の情報記録装置は、記録媒体にレーザ光を照射して記録信号に対応する記録マークを形成する情報記録装置であって、前記レーザ光を出射する光源と、前記記録信号に基づいて前記光源を駆動する記録パルス信号を生成する信号生成手段とを備え、前記記録パルス信号は、前記記録マークを形成するマーク期間と、前記記録マークを形成しないスペース期間とを含み、前記記録パルス信号のレベルは、長マークに対応するマーク期間においては、前記記録マークを読み取ることで得られる読取信号の波形歪みが、２番目に短い記録マークを読み取ることで得られる読取信号の最大振幅以上又は最小振幅以下となる記録パワーに対応する。【００１０】
上記課題を解決するために、本発明の第３の情報記録装置は、記録媒体にレーザ光を照射して記録信号に対応する記録マークを形成する情報記録装置であって、前記レーザ光を出射する光源と、前記記録信号に基づいて前記光源を駆動する記録パルス信号を生成する信号生成手段とを備え、前記記録パルス信号は、前記記録マークを形成するマーク期間と、前記記録マークを形成しないスペース期間とを含み、前記記録パルス信号のレベルは、長マークに対応するマーク期間においては、前記記録マークを読み取ることで得られる読取信号の波形歪みが、最も短い記録マークを読み取ることで得られる読取信号の最大振幅以上又は最小振幅以下となる記録パワーに対応する。【００１１】
上記課題を解決するために、本発明の第１の情報記録方法は、記録媒体にレーザ光を照射して記録信号に対応する記録マークを形成する情報記録方法であって、前記記録信号に基づいて光源を駆動する記録パルス信号を生成する信号生成工程と、前記記録パルス信号に基づいて前記記録媒体上にレーザパルスを照射する照射工程とを備え、前記記録パルス信号は、前記記録マークを形成するマーク期間と、前記記録マークを形成しないスペース期間とを含み、前記記録パルス信号のレベルは、長マークに対応するマーク期間においては、前記記録マークを読み取ることで得られる読取信号の波形歪みが、前記読取信号の高域強調を行うリミットイコライザにおける振幅制限値の上限以上又は下限以下となる記録パワーに対応する。【００１２】
上記課題を解決するために、本発明の第２の情報記録方法は、記録媒体にレーザ光を照射して記録信号に対応する記録マークを形成する情報記録方法であって、前記記録信号に基づいて光源を駆動する記録パルス信号を生成する信号生成工程と、前記記録パルス信号に基づいて前記記録媒体上にレーザパルスを照射する照射工程とを備え、前記記録パルス信号は、前記記録マークを形成するマーク期間と、前記記録マークを形成しないスペース期間とを含み、前記記録パルス信号のレベルは、長マークに対応するマーク期間においては、前記記録マークを読み取ることで得られる読取信号の波形歪みが、２番目に短い記録マークを読み取ることで得られる読取信号の最大振幅以上又は最小振幅以下となる記録パワーに対応する。【００１３】
上記課題を解決するために、本発明の第３の情報記録方法は、記録媒体にレーザ光を照射して記録信号に対応する記録マークを形成する情報記録方法であって、前記記録信号に基づいて光源を駆動する記録パルス信号を生成する信号生成工程と、前記記録パルス信号に基づいて前記記録媒体上にレーザパルスを照射する照射工程とを備え、前記記録パルス信号は、前記記録マークを形成するマーク期間と、前記記録マークを形成しないスペース期間とを含み、前記記録パルス信号のレベルは、長マークに対応するマーク期間においては、前記記録マークを読み取ることで得られる読取信号の波形歪みが、最も短い記録マークを読み取ることで得られる読取信号の最大振幅以上又は最小振幅以下となる記録パワーに対応する。【００１４】
上記課題を解決するために、本発明の第１のコンピュータプログラムは、光源を備える情報記録装置において実行され、記録媒体にレーザ光を照射して記録信号に対応する記録マークを形成するためのコンピュータプログラムであって、前記記録信号に基づいて光源を駆動する記録パルス信号を生成する信号生成工程と、前記記録パルス信号に基づいて前記記録媒体上にレーザパルスを照射する照射工程とを前記情報記録装置に実行させ、前記記録パルス信号は、前記記録マークを形成するマーク期間と、前記記録マークを形成しないスペース期間とを含み、前記記録パルス信号のレベルは、長マークに対応するマーク期間においては、前記記録マークを読み取ることで得られる読取信号の波形歪みが、前記読取信号の高域強調を行うリミットイコライザにおける振幅制限値の上限以上又は下限以下となる記録パワーに対応する。【００１５】
上記課題を解決するために、本発明の第２のコンピュータプログラムは、光源を備える情報記録装置において実行され、記録媒体にレーザ光を照射して記録信号に対応する記録マークを形成するためのコンピュータプログラムであって、前記記録信号に基づいて光源を駆動する記録パルス信号を生成する信号生成工程と、前記記録パルス信号に基づいて前記記録媒体上にレーザパルスを照射する照射工程とを前記情報記録装置に実行させ、前記記録パルス信号は、前記記録マークを形成するマーク期間と、前記記録マークを形成しないスペース期間とを含み、前記記録パルス信号のレベルは、長マークに対応するマーク期間においては、前記記録マークを読み取ることで得られる読取信号の波形歪みが、２番目に短い記録マークを読み取ることで得られる読取信号の最大振幅以上又は最小振幅以下となる記録パワーに対応する。【００１６】
上記課題を解決するために、本発明の第３のコンピュータプログラムは、光源を備える情報記録装置において実行され、記録媒体にレーザ光を照射して記録信号に対応する記録マークを形成するためのコンピュータプログラムであって、前記記録信号に基づいて光源を駆動する記録パルス信号を生成する信号生成工程と、前記記録パルス信号に基づいて前記記録媒体上にレーザパルスを照射する照射工程とを前記情報記録装置に実行させ、前記記録パルス信号は、前記記録マークを形成するマーク期間と、前記記録マークを形成しないスペース期間とを含み、前記記録パルス信号のレベルは、長マークに対応するマーク期間においては、前記記録マークを読み取ることで得られる読取信号の波形歪みが、最も短い記録マークを読み取ることで得られる読取信号の最大振幅以上又は最小振幅以下となる記録パワーに対応する。【００１７】
本発明の作用及び他の利得は次に説明する実施の形態から明らかにされよう。
【図面の簡単な説明】
【００１８】
【図１】本実施例による記録パルス波形（ライトストラテジー）を示す。
【図２】リミットイコライザを備える情報再生装置の基本構成を概念的に示す。
【図３】リミットイコライザの構成を概念的に示すブロック図である。
【図４】振幅制限値の上限及び下限の設定動作を、サンプル値系列上で概念的に示す波形図である。
【図５】高域強調読取サンプル値系列の取得動作を、サンプル値系列上で概念的に示す波形図である。
【図６】波形歪みを概念的に示す波形図である。
【図７】波形歪みと振幅制限値の下限との関係を、読取信号（或いは、サンプル値系列）上で概念的に示す波形図である。
【図８】波形歪みが振幅制限範囲内に含まれる場合（つまり、条件Ａを満たさない場合）及び波形歪みが振幅制限範囲内に含まれない場合（つまり、条件Ａを満たす場合）の夫々における高域強調読取サンプル値系列の取得動作を、波形歪みが発生しているサンプル値系列上で概念的に示す波形図である。
【図９】振幅制限値の下限と波形歪みとの位置関係に対するシンボルエラーレートの変化を示すグラフである。
【図１０】波形歪みと振幅制限値の下限との関係を、読取信号（或いは、サンプル値系列）上で概念的に示す波形図である。
【図１１】波形歪みと振幅制限値の下限との関係を、読取信号（或いは、サンプル値系列）上で概念的に示す波形図である。
【図１２】波形歪みを概念的に示す波形図である。
【図１３】波形歪みと振幅制限値の下限との関係を、読取信号（或いは、サンプル値系列）上で概念的に示す波形図である。
【図１４】波形歪みと振幅制限値の下限との関係を、読取信号（或いは、サンプル値系列）上で概念的に示す波形図である。
【図１５】波形歪みと振幅制限値の下限との関係を、読取信号（或いは、サンプル値系列）上で概念的に示す波形図である。
【図１６】記録媒体を再生して得られる読取信号の波形の例を示す波形図である。
【図１７】本実施例による記録パルス波形（ライトストラテジー）の他の例を示す。
【図１８】本実施例による記録パルス波形（ライトストラテジー）の他の例を示す。
【図１９】アシンメトリ値を説明するための波形図である。
【図２０】本発明を適用した情報記録装置の全体構成を概略的に示すブロック図である。
【図２１】光ピックアップ及び記録制御部の内部構成を示すブロック図である。
【図２２】ＬＤドライバの詳細構成を示す回路図である。
【図２３】レーザダイオードに供給される駆動電流と、レーザダイオードから出射されるレーザ光の出力パワーとの関係を示すグラフである。
【図２４】情報記録装置の動作の流れを概念的に示すフローチャートである。
【符号の説明】
【００１９】
１  情報再生装置
２  情報記録装置
１０、２０  スピンドルモータ
１１、２１  ピックアップ
１２  ＨＰＦ
１３  Ａ／Ｄ変換器
１４  プリイコライザ
１５、２５  リミットイコライザ
１６  ２値化回路
１７  復号回路
１５１  振幅制限値設定ブロック
１５１６  平均化回路
１５２  振幅制限ブロック
１５２２  補間フィルタ
１５２３  リミッタ
１５３  高域強調ブロック
２２  記録制御部
【発明を実施するための最良の形態】
【００２０】
以下、発明を実施するための最良の形態として、本発明の情報記録装置及び方法、並びにコンピュータプログラムに係る実施形態の説明を進める。【００２１】
（情報記録装置の実施形態）
本発明の情報記録装置に係る第１実施形態は、記録媒体にレーザ光を照射して記録信号に対応する記録マークを形成する情報記録装置であって、前記レーザ光を出射する光源と、前記記録信号に基づいて前記光源を駆動する記録パルス信号を生成する信号生成手段とを備え、前記記録パルス信号は、前記記録マークを形成するマーク期間と、前記記録マークを形成しないスペース期間とを含み、前記記録パルス信号のレベルは、長マークに対応するマーク期間においては、前記記録マークを読み取ることで得られる読取信号の波形歪みが、前記読取信号の高域強調を行うリミットイコライザにおける振幅制限値の上限以上又は下限以下となる記録パワーに対応する。【００２２】
本発明の情報記録装置に係る第１実施形態によれば、記録パルス信号に基づいて駆動する光源からレーザ光が記録媒体に向けて照射されることで、記録媒体に記録マークを形成することができる。これにより、記録信号に応じたデータを記録媒体に記録することができる。記録パルス信号は、記録マークを形成するマーク期間と、前記記録マークを形成しないスペース期間とを含んでいる。【００２３】
第１実施形態では特に、記録パルス信号のレベルは、長マークに対応するマーク期間においては、読取信号の波形歪みがリミットイコライザにおける振幅制限値の上限以上又は下限以下となる記録パワーに対応している。このため、このような記録パルス信号に基づいて記録された記録マークの再生時において、その読取信号に波形歪みが生じていたとしても、該波形歪みがリミットイコライザにおける振幅制限値の上限以上又は下限以下に抑えられる。このため、リミットイコライザにおいて、波形歪みがリミットイコライザにおける振幅制限を行う範囲内に含まれてしまうことに起因して波形歪みがより一層強調される不都合を好適に防止することができる。このため、例えば長マークを他の記録マークと誤判別してしまう不都合を好適に防止することができる。これにより、リミットイコライザにおいて、読取信号の高域強調を好適に行うことができる。【００２４】
このように、第１実施形態に係る情報記録装置によれば、より良好に振幅制限を行いながら波形等化を行うことができるデータを記録媒体に記録することができる。【００２５】
本発明の情報記録装置に係る第２実施形態は、記録媒体にレーザ光を照射して記録信号に対応する記録マークを形成する情報記録装置であって、前記レーザ光を出射する光源と、前記記録信号に基づいて前記光源を駆動する記録パルス信号を生成する信号生成手段とを備え、前記記録パルス信号は、前記記録マークを形成するマーク期間と、前記記録マークを形成しないスペース期間とを含み、前記記録パルス信号のレベルは、長マークに対応するマーク期間においては、前記記録マークを読み取ることで得られる読取信号の波形歪みが、２番目に短い記録マークを読み取ることで得られる読取信号の最大振幅以上又は最小振幅以下となる記録パワーに対応する。【００２６】
本発明の情報記録装置に係る第２実施形態によれば、第１実施形態に係る情報記録装置と同様に、記録媒体に記録マークを形成することができる。【００２７】
第２実施形態では特に、記録パルス信号のレベルは、２番目に短い記録マーク（例えば、記録媒体がＤＶＤであれば、ランレングスが４Ｔの記録マークであり、記録媒体がＢｌｕ−ｒａｙ  Ｄｉｓｃであれば、ランレングスが３Ｔの記録マーク）を読み取ることで得られる読取信号の最大振幅以上又は最小振幅以下となる記録パワーに対応している。ここで、一般的には、リミットイコライザにおける振幅制限値の上限及び下限は、２番目に短い記録マークを読み取ることで得られる読取信号の最大振幅以下又は最小振幅以上に設定されている。このため、このような記録パルス信号に基づいて記録された記録マークの再生時において、その読取信号に波形歪みが生じていたとしても、該波形歪みがリミットイコライザにおける振幅制限値の上限以上又は下限以下に抑えられる。このため、リミットイコライザにおいて、波形歪みがリミットイコライザにおける振幅制限を行う範囲内に含まれてしまうことに起因して波形歪みがより一層強調される不都合を好適に防止することができる。このため、例えば長マークを他の記録マークと誤判別してしまう不都合を好適に防止することができる。これにより、リミットイコライザにおいて、読取信号の高域強調を好適に行うことができる。【００２８】
このように、第２実施形態に係る情報記録装置によれば、より良好に振幅制限を行いながら波形等化を行うことができるデータを記録媒体に記録することができる。【００２９】
本発明の情報記録装置に係る第３実施形態は、記録媒体にレーザ光を照射して記録信号に対応する記録マークを形成する情報記録装置であって、前記レーザ光を出射する光源と、前記記録信号に基づいて前記光源を駆動する記録パルス信号を生成する信号生成手段とを備え、前記記録パルス信号は、前記記録マークを形成するマーク期間と、前記記録マークを形成しないスペース期間とを含み、前記記録パルス信号のレベルは、長マークに対応するマーク期間においては、前記記録マークを読み取ることで得られる読取信号の波形歪みが、最も短い記録マークを読み取ることで得られる読取信号の最大振幅以上又は最小振幅以下となる記録パワーに対応する。【００３０】
本発明の情報記録装置に係る第３実施形態によれば、第１実施形態に係る情報記録装置や第２実施形態に係る情報記録装置と同様に、記録媒体に記録マークを形成することができる。【００３１】
第３実施形態では特に、記録パルス信号のレベルは、最も短い記録マーク（例えば、記録媒体がＤＶＤであれば、ランレングスが３Ｔの記録マークであり、記録媒体がＢｌｕ−ｒａｙ  Ｄｉｓｃであれば、ランレングスが２Ｔの記録マーク）を読み取ることで得られる読取信号の最大振幅以上又は最小振幅以下となる記録パワーに対応している。ここで、一般的には、リミットイコライザにおける振幅制限値の上限及び下限は、最も短い記録マークを読み取ることで得られる読取信号の最大振幅以上又は最小振幅以下であって且つ２番目に短い記録マークを読み取ることで得られる読取信号の最大振幅以下又は最小振幅以上に設定されている。このため、このような記録パルス信号に基づいて記録された記録マークの再生時において、その読取信号に波形歪みが生じていたとしても、該波形歪みがリミットイコライザにおける振幅制限値の上限以上又は下限以下に抑えられる可能性を増加させることができる。このため、リミットイコライザにおいて、波形歪みがリミットイコライザにおける振幅制限を行う範囲内に含まれてしまうことに起因して波形歪みがより一層強調される不都合を相応に防止することができる。このため、例えば長マークを他の記録マークと誤判別してしまう不都合を相応に防止することができる。これにより、リミットイコライザにおいて、読取信号の高域強調を好適に行うことができる。【００３２】
このように、第２実施形態に係る情報記録装置によれば、より良好に振幅制限を行いながら波形等化を行うことができるデータを記録媒体に記録することができる。【００３３】
本発明の情報記録装置に係る第１、第２又は第３実施形態の一の態様は、前記記録パルス信号のレベルは、長マークに対応するマーク期間においては、再生互換性が確保される記録パワーに対応する。【００３４】
この態様によれば、このような記録パルス信号に基づいて記録された記録マークの再生時において、再生互換性を確保することができる。【００３５】
上述の如く記録パルス信号のレベルが、長マークに対応するマーク期間において、再生互換性が確保される記録パワーに対応する情報記録装置の態様では、前記再生互換性が確保される記録パワーは、変調度が所定範囲内となる記録パワーであるように構成してもよい。【００３６】
このように構成すれば、このような記録パルス信号に基づいて記録された記録マークの再生時において、変調度を所定範囲内に収めることができる。【００３７】
上述の如く再生互換性が確保される記録パワーが、変調度が所定範囲内となる記録パワーである情報記録装置の態様では、前記変調度が所定範囲内となる記録パワーは、変調度が４０％以上となる記録パワーであるように構成してもよい。【００３８】
このように構成すれば、このような記録パルス信号に基づいて記録された記録マークの再生時において、変調度を４０％以上にすることができる。【００３９】
本発明の情報記録装置に係る第１、第２又は第３実施形態の他の態様は、前記記録パルス信号のレベルは、短マークに対応するマーク期間においては、アシンメトリが所定範囲内となる記録パルス幅及び記録パワーの少なくとも一つに対応する。【００４０】
この態様によれば、このような記録パルス信号に基づいて記録された記録マークの再生時において、アシンメトリを所定範囲内に収めることができる。【００４１】
上述の如く記録パルス信号のレベルが、短マークに対応するマーク期間において、アシンメトリが所定範囲内となる記録パルス幅及び記録パワーの少なくとも一つに対応する情報記録装置の態様では、前記アシンメトリが所定範囲内となる記録パワーは、アシンメトリが−０．１０〜０．１５の範囲内となる記録パワーであるように構成してもよい。【００４２】
このように構成すれば、このような記録パルス信号に基づいて記録された記録マークの再生時において、アシンメトリを−０．１０〜０．１５の範囲内に収めることができる。【００４３】
本発明の情報記録再生装置に係る第１、第２又は第３実施形態の他の態様は、前記短マークは最も短い記録マーク（例えば、記録媒体がＤＶＤであれば、ランレングスが３Ｔの記録マークであり、記録媒体がＢｌｕ−ｒａｙ  Ｄｉｓｃであれば、ランレングスが２Ｔの記録マーク）であり、前記長マークは前記短マーク以外の記録マーク（例えば、記録媒体がＤＶＤであれば、ランレングスが４Ｔから１１Ｔ及び１４Ｔの記録マークであり、記録媒体がＢｌｕ−ｒａｙ  Ｄｉｓｃであれば、ランレングスが３Ｔから９Ｔの記録マーク）である。【００４４】
この態様によれば、このように規定される長マーク及び短マークを好適に形成することができる。【００４５】
本発明の情報記録再生装置に係る第１、第２又は第３実施形態の他の態様は、前記短マークは最も短い記録マーク（例えば、記録媒体がＤＶＤであれば、ランレングスが３Ｔの記録マークであり、記録媒体がＢｌｕ−ｒａｙ  Ｄｉｓｃであれば、ランレングスが２Ｔの記録マーク）及び２番目に短い記録マーク（例えば、記録媒体がＤＶＤであれば、ランレングスが４Ｔの記録マークであり、記録媒体がＢｌｕ−ｒａｙ  Ｄｉｓｃであれば、ランレングスが３Ｔの記録マーク）であり、前記長マークは前記短マーク以外の記録マーク（例えば、記録媒体がＤＶＤであれば、ランレングスが５Ｔから１１Ｔ及び１４Ｔの記録マークであり、記録媒体がＢｌｕ−ｒａｙ  Ｄｉｓｃであれば、ランレングスが４Ｔから９Ｔの記録マーク）である。【００４６】
この態様によれば、このように規定される長マーク及び短マークを好適に形成することができる。【００４７】
本発明の情報記録再生装置に係る第１、第２又は第３実施形態の他の態様は、前記短マークは信号レベルが最大振幅とならない記録マークであり、前記長マークは信号レベルが最大振幅となる記録マークであることを特徴とする請求の範囲第７項に記載の情報記録装置。【００４８】
この態様によれば、このように規定される長マーク及び短マークを好適に形成することができる。【００４９】
（情報記録方法の実施形態）
本発明の情報記録方法に係る第１実施形態は、記録媒体にレーザ光を照射して記録信号に対応する記録マークを形成する情報記録方法であって、前記記録信号に基づいて光源を駆動する記録パルス信号を生成する信号生成工程と、前記記録パルス信号に基づいて前記記録媒体上にレーザパルスを照射する照射工程とを備え、前記記録パルス信号は、前記記録マークを形成するマーク期間と、前記記録マークを形成しないスペース期間とを含み、前記記録パルス信号のレベルは、長マークに対応するマーク期間においては、前記記録マークを読み取ることで得られる読取信号の波形歪みが、前記読取信号の高域強調を行うリミットイコライザにおける振幅制限値の上限以上又は下限以下となる記録パワーに対応する。【００５０】
本発明の情報記録方法に係る第１実施形態によれば、上述した本発明の情報記録装置に係る第１実施形態が享受することができる各種効果と同様の効果を享受することができる。【００５１】
尚、上述した本発明の情報記録装置に係る第１実施形態における各種態様に対応して、本発明の情報記録方法に係る第１実施形態も各種態様を採ることが可能である。【００５２】
本発明の情報記録方法に係る第２実施形態は、記録媒体にレーザ光を照射して記録信号に対応する記録マークを形成する情報記録方法であって、前記記録信号に基づいて光源を駆動する記録パルス信号を生成する信号生成工程と、前記記録パルス信号に基づいて前記記録媒体上にレーザパルスを照射する照射工程とを備え、前記記録パルス信号は、前記記録マークを形成するマーク期間と、前記記録マークを形成しないスペース期間とを含み、前記記録パルス信号のレベルは、長マークに対応するマーク期間においては、前記記録マークを読み取ることで得られる読取信号の波形歪みが、２番目に短い記録マークを読み取ることで得られる読取信号の最大振幅以上又は最小振幅以下となる記録パワーに対応する。【００５３】
本発明の情報記録方法に係る第２実施形態によれば、上述した本発明の情報記録装置に係る第２実施形態が享受することができる各種効果と同様の効果を享受することができる。【００５４】
尚、上述した本発明の情報記録装置に係る第２実施形態における各種態様に対応して、本発明の情報記録方法に係る第２実施形態も各種態様を採ることが可能である。【００５５】
本発明の情報記録方法に係る第３実施形態は、記録媒体にレーザ光を照射して記録信号に対応する記録マークを形成する情報記録方法であって、前記記録信号に基づいて光源を駆動する記録パルス信号を生成する信号生成工程と、前記記録パルス信号に基づいて前記記録媒体上にレーザパルスを照射する照射工程とを備え、前記記録パルス信号は、前記記録マークを形成するマーク期間と、前記記録マークを形成しないスペース期間とを含み、前記記録パルス信号のレベルは、長マークに対応するマーク期間においては、前記記録マークを読み取ることで得られる読取信号の波形歪みが、最も短い記録マークを読み取ることで得られる読取信号の最大振幅以上又は最小振幅以下となる記録パワーに対応する。【００５６】
本発明の情報記録方法に係る第３実施形態によれば、上述した本発明の情報記録装置に係る第３実施形態が享受することができる各種効果と同様の効果を享受することができる。【００５７】
尚、上述した本発明の情報記録装置に係る第３実施形態における各種態様に対応して、本発明の情報記録方法に係る第３実施形態も各種態様を採ることが可能である。【００５８】
（コンピュータプログラムの実施形態）
本発明のコンピュータプログラムに係る第１実施形態は、光源を備える情報記録装置において実行され、記録媒体にレーザ光を照射して記録信号に対応する記録マークを形成するためのコンピュータプログラムであって、前記記録信号に基づいて光源を駆動する記録パルス信号を生成する信号生成工程と、前記記録パルス信号に基づいて前記記録媒体上にレーザパルスを照射する照射工程とを前記情報記録装置に実行させ、前記記録パルス信号は、前記記録マークを形成するマーク期間と、前記記録マークを形成しないスペース期間とを含み、前記記録パルス信号のレベルは、長マークに対応するマーク期間においては、前記記録マークを読み取ることで得られる読取信号の波形歪みが、前記読取信号の高域強調を行うリミットイコライザにおける振幅制限値の上限以上又は下限以下となる記録パワーに対応する。【００５９】
本発明のコンピュータプログラムに係る第１実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置に係る第１実施形態を比較的簡単に実現できる。【００６０】
尚、上述した本発明の情報記録装置に係る第１実施形態における各種態様に対応して、本発明のコンピュータプログラムに係る第１実施形態も各種態様を採ることが可能である。【００６１】
本発明のコンピュータプログラムに係る第２実施形態は、光源を備える情報記録装置において実行され、記録媒体にレーザ光を照射して記録信号に対応する記録マークを形成するためのコンピュータプログラムであって、前記記録信号に基づいて光源を駆動する記録パルス信号を生成する信号生成工程と、前記記録パルス信号に基づいて前記記録媒体上にレーザパルスを照射する照射工程とを前記情報記録装置に実行させ、前記記録パルス信号は、前記記録マークを形成するマーク期間と、前記記録マークを形成しないスペース期間とを含み、前記記録パルス信号のレベルは、長マークに対応するマーク期間においては、前記記録マークを読み取ることで得られる読取信号の波形歪みが、２番目に短い記録マークを読み取ることで得られる読取信号の最大振幅以上又は最小振幅以下となる記録パワーに対応する。【００６２】
本発明のコンピュータプログラムに係る第２実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置に係る第２実施形態を比較的簡単に実現できる。【００６３】
尚、上述した本発明の情報記録装置に係る第２実施形態における各種態様に対応して、本発明のコンピュータプログラムに係る第２実施形態も各種態様を採ることが可能である。【００６４】
本発明のコンピュータプログラムに係る第３実施形態は、光源を備える情報記録装置において実行され、記録媒体にレーザ光を照射して記録信号に対応する記録マークを形成するためのコンピュータプログラムであって、前記記録信号に基づいて光源を駆動する記録パルス信号を生成する信号生成工程と、前記記録パルス信号に基づいて前記記録媒体上にレーザパルスを照射する照射工程とを前記情報記録装置に実行させ、前記記録パルス信号は、前記記録マークを形成するマーク期間と、前記記録マークを形成しないスペース期間とを含み、前記記録パルス信号のレベルは、長マークに対応するマーク期間においては、前記記録マークを読み取ることで得られる読取信号の波形歪みが、最も短い記録マークを読み取ることで得られる読取信号の最大振幅以上又は最小振幅以下となる記録パワーに対応する。【００６５】
本発明のコンピュータプログラムに係る第３実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置に係る第３実施形態を比較的簡単に実現できる。【００６６】
尚、上述した本発明の情報記録装置に係る第３実施形態における各種態様に対応して、本発明のコンピュータプログラムに係る第３実施形態も各種態様を採ることが可能である。【００６７】
本発明のコンピュータ読取可能なコンピュータプログラム製品に係る第１実施形態は、光源を備える情報記録装置において実行され、記録媒体にレーザ光を照射して記録信号に対応する記録マークを形成するためのコンピュータプログラム製品であって、前記記録信号に基づいて光源を駆動する記録パルス信号を生成する信号生成工程と、前記記録パルス信号に基づいて前記記録媒体上にレーザパルスを照射する照射工程とを前記情報記録装置に実行させ、前記記録パルス信号は、前記記録マークを形成するマーク期間と、前記記録マークを形成しないスペース期間とを含み、前記記録パルス信号のレベルは、長マークに対応するマーク期間においては、前記記録マークを読み取ることで得られる読取信号の波形歪みが、前記読取信号の高域強調を行うリミットイコライザにおける振幅制限値の上限以上又は下限以下となる記録パワーに対応する。【００６８】
本発明のコンピュータプログラム製品に係る第１実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置に係る第１実施形態を比較的容易に実施可能となる。更に具体的には、当該コンピュータプログラム製品は、上述した本発明の情報記録装置に係る第１実施形態として機能させるコンピュータ読取可能なコード（或いはコンピュータ読取可能な命令）から構成されてよい。【００６９】
尚、上述した本発明の情報記録装置に係る第１実施形態における各種態様に対応して、本発明のコンピュータプログラム製品に係る第１実施形態も各種態様を採ることが可能である。【００７０】
本発明のコンピュータ読取可能なコンピュータプログラム製品に係る第２実施形態は、光源を備える情報記録装置において実行され、記録媒体にレーザ光を照射して記録信号に対応する記録マークを形成するためのコンピュータプログラムであって、前記記録信号に基づいて光源を駆動する記録パルス信号を生成する信号生成工程と、前記記録パルス信号に基づいて前記記録媒体上にレーザパルスを照射する照射工程とを前記情報記録装置に実行させ、前記記録パルス信号は、前記記録マークを形成するマーク期間と、前記記録マークを形成しないスペース期間とを含み、前記記録パルス信号のレベルは、長マークに対応するマーク期間においては、前記記録マークを読み取ることで得られる読取信号の波形歪みが、２番目に短い記録マークを読み取ることで得られる読取信号の最大振幅以上又は最小振幅以下となる記録パワーに対応する。【００７１】
本発明のコンピュータプログラム製品に係る第２実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置に係る第２実施形態を比較的容易に実施可能となる。更に具体的には、当該コンピュータプログラム製品は、上述した本発明の情報記録装置に係る第２実施形態として機能させるコンピュータ読取可能なコード（或いはコンピュータ読取可能な命令）から構成されてよい。【００７２】
尚、上述した本発明の情報記録装置に係る第２実施形態における各種態様に対応して、本発明のコンピュータプログラム製品に係る第２実施形態も各種態様を採ることが可能である。【００７３】
本発明のコンピュータ読取可能なコンピュータプログラム製品に係る第３実施形態は、光源を備える情報記録装置において実行され、記録媒体にレーザ光を照射して記録信号に対応する記録マークを形成するためのコンピュータプログラムであって、前記記録信号に基づいて光源を駆動する記録パルス信号を生成する信号生成工程と、前記記録パルス信号に基づいて前記記録媒体上にレーザパルスを照射する照射工程とを前記情報記録装置に実行させ、前記記録パルス信号は、前記記録マークを形成するマーク期間と、前記記録マークを形成しないスペース期間とを含み、前記記録パルス信号のレベルは、長マークに対応するマーク期間においては、前記記録マークを読み取ることで得られる読取信号の波形歪みが、最も短い記録マークを読み取ることで得られる読取信号の最大振幅以上又は最小振幅以下となる記録パワーに対応する。【００７４】
本発明のコンピュータプログラム製品に係る第３実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置に係る第３実施形態を比較的容易に実施可能となる。更に具体的には、当該コンピュータプログラム製品は、上述した本発明の情報記録装置に係る第３実施形態として機能させるコンピュータ読取可能なコード（或いはコンピュータ読取可能な命令）から構成されてよい。【００７５】
尚、上述した本発明の情報記録装置に係る第３実施形態における各種態様に対応して、本発明のコンピュータプログラム製品に係る第３実施形態も各種態様を採ることが可能である。【００７６】
本実施形態のこのような作用及び他の利得は次に説明する実施例から更に明らかにされよう。【００７７】
以上説明したように、本発明の情報記録装置及び方法、並びにコンピュータプログラムに係る第１実施形態によれば、記録パルス信号のレベルは、長マークに対応するマーク期間においては、波形歪みがリミットイコライザにおける振幅制限値の上限以上又は下限以下となる記録パワーに対応する。本発明の情報記録装置及び方法、並びにコンピュータプログラムに係る第２実施形態によれば、記録パルス信号のレベルは、長マークに対応するマーク期間においては、波形歪みが、２番目に短い記録マークを読み取ることで得られる読取信号の最大振幅以上又は最小振幅以下となる記録パワーに対応する。本発明の情報記録装置及び方法、並びにコンピュータプログラムに係る第２実施形態によれば、記録パルス信号のレベルは、長マークに対応するマーク期間においては、波形歪みが、最も短い記録マークを読み取ることで得られる読取信号の最大振幅以上又は最小振幅以下となる記録パワーに対応する。従って、より良好に振幅制限を行いながら波形等化を行うことができるデータを記録媒体に記録することができる。
【実施例】
【００７８】
本発明は、記録パルス信号によりレーザ光源を駆動して情報の記録を行う情報記録装置において、長マークと短マークの記録パワーを別々に設定することを特徴とする。以下、その実施例について、図面に基づいて説明する。【００７９】
図１に、本実施例による記録パルス波形（ライトストラテジー）を示す。図１において、データは、データ長に対応する長さのマーク期間Ｔｗｄと、同じくデータ長に対応する長さのスペース期間Ｔｓｐにより構成される。なお、本発明においてはスペース期間の長さは問題とはならないので、その一部を省略して図示している。【００８０】
記録媒体の一具体例たる光ディスクのうちのＢｌｕ−ｒａｙ  Ｄｉｓｃにおいては、２Ｔ及び３Ｔの長さのマークは単一のパルスからなる記録パルス波形により形成され、４Ｔ以上の長さのマークはトップパルス６０ｔｐとラストパルス６０ｌｐと中間パルス６０ｍとからなる略凹型の記録パルス波形により形成される。具体的には、図１の上段に示すように、Ｂｌｕ−ｒａｙ  Ｄｉｓｃにおいては、２Ｔ及び３Ｔの記録パルス波形はスペースパワーＰｓの期間と、ピークパワーＰｏの期間と、クーリングパワーＰｃｌの期間とを有する。また、４Ｔ以上の記録パルス波形は、スペースパワーＰｓの期間と、ピークパワーＰｏのトップパルス期間６０ｔｐ及びラストパルス期間６０ｌｐと、中間パワーＰｍの期間６０ｍと、クーリングパワーＰｃｌの期間とを有する。【００８１】
なお、本明細書では、「記録パワー」はピークパワーと中間パワーを含む概念である。即ち、記録パルス波形が図１における２Ｔ及び３Ｔマークの場合には記録パワーはピークパワーのみであるが、４Ｔマーク以上の場合には記録パワーはピークパワーと中間パワーを指す。【００８２】
尚、記録媒体の一具体例たる光ディスクのうちのＤＶＤにおいては、３Ｔ及び４Ｔの長さのマークが、単一のパルスからなる記録パルス波形により形成され、５Ｔ以上の長さのマークはトップパルス６０ｔｐとラストパルス６０ｌｐと中間パルス６０ｍとからなる略凹型の記録パルス波形により形成される。【００８３】
次に、短マークと長マークの記録パワーの決定方法について説明する。本実施例では、記録状態の評価パラメータとして、データを読み取ることで得られる読取信号に対して波形等化を行うリミットイコライザにおける振幅制限値の上限又は下限と読取信号に発生する波形歪みとの関係や、変調度や、アシンメトリ等を考慮して、記録パワーを決定する。【００８４】
以下、その記録パワーの決定方法に先立って、リミットイコライザ及び波形歪みについて説明する。【００８５】
初めに、図２から図５を参照して、リミットイコライザの構成及び動作原理について説明する。ここでは、説明の便宜上、リミットイコライザを備える情報再生装置の構成及び動作原理について説明する。【００８６】
図２は、リミットイコライザを備える情報再生装置の基本構成を概念的に示す。図２に示すように、情報再生装置１は、スピンドルモータ１０と、ピックアップ（ＰＵ：Pick Up）１１と、ＨＰＦ（High Pass Filter）１２と、Ａ／Ｄ変換器１３と、プリイコライザ（Pre Equalizer）１４と、リミットイコライザ（Limit Equalizer）１５と、２値化回路１６と、復号回路１７とを備えている。【００８７】
ピックアップ１１は、スピンドルモータ１０によって回転する光ディスク１００の記録面にレーザ光ＬＢを照射した際の反射光を光電変換して読取信号ＲＲＦを生成する。【００８８】
ＨＰＦ１２は、ピックアップより出力される読取信号ＲＲＦの低域成分を除去し、その結果得られる読取信号ＲＨＣをＡ／Ｄ変換器１３へ出力する。【００８９】
Ａ／Ｄ変換器１３は、不図示のＰＬＬ（Phased Lock Loop）等から出力されるサンプリングクロックに応じて読取信号をサンプリングし、その結果得られる読取サンプル値系列ＲＳをプリイコライザ１４へ出力する。【００９０】
プリイコライザ１４は、ピックアップ１１及び光ディスク１００から構成される情報読取系の伝送特性に基づく符号間干渉を除去し、その結果得られる読取サンプル値系列ＲＳＣをリミットイコライザ１５へ出力する。【００９１】
リミットイコライザ１５は、符号間干渉を増加させることなく読取サンプル値系列ＲＳＣに対して高域強調処理を施し、その結果得られる高域強調読取サンプル値系列ＲＳＨを、２値化回路１６へ出力する。【００９２】
２値化回路１６は、高域強調読取サンプル値系列ＲＳＨに対して２値化処理を行い、その結果得られる２値化信号を復号回路１７へ出力する。【００９３】
復号回路１７は、２値化信号に対して復号処理等を行い、その結果得られる再生信号を、ディスプレイやスピーカ等の外部再生機器へ出力する。その結果、光ディスク１００に記録されたデータ（例えば、映像データや音声データ等）が再生される。【００９４】
続いて、図３を参照して、リミットイコライザ１５のより詳細な構成について説明する。
図３は、リミットイコライザ１５の構成を概念的に示すブロック図である。図３に示すように、リミットイコライザ１５は、振幅制限値設定ブロック１５１と、振幅制限ブロック１５２と、高域強調ブロック１５３とを備えている。【００９５】
振幅制限値設定ブロック１５１は、読取サンプル値系列ＲＳＣに基づいて、振幅制限ブロック１５２において用いられる振幅制限値の上限及び下限を設定する。振幅制限ブロック１５２は、振幅制限値設定ブロック１５１において設定された振幅制限値の上限及び下限に基づいて、読取サンプル値系列ＲＳＣの振幅制限処理を行う。振幅制限処理が行われたサンプル値系列ＲＳＬＩＭは、高域強調ブロック１５３へ出力される。高域強調ブロック１５３は、振幅制限処理が行われたサンプル値系列ＲＳＬＩＭに対して、高域を強調するためのフィルタリング処理を行う。その結果、高域強調読取サンプル値系列ＲＳＨが得られる。【００９６】
より具体的には、リファレンスサンプルタイミング検出回路１５１１により、読取サンプル値系列ＲＳＣに基づいて、リファレンスサンプルタイミングが検出される。検出されたリファレンスサンプルタイミングは、１クロックの遅延を付与する遅延器１５１２及びＯＲ回路１５１３を介してサンプルホールド回路１５１４へ出力される。サンプルホールド回路１５１４においては、遅延器１５１２及びＯＲ回路１５１３を介して出力されるリファレンスサンプルタイミングに応じて、補間フィルタ１５２２より出力されるサンプル値系列ＲＳＰがサンプルホールドされる。【００９７】
尚、補間フィルタ１５２２は、読取サンプル値系列ＲＳＣに対して補間演算処理を施すことにより、光ディスク１００から読み取られた読取信号ＲＲＦを、Ａ／Ｄ変換器１４において用いられるサンプリングクロックによるクロックタイミングの中間タイミングでサンプリングした際に得られる補間サンプル値系列を生成する。生成された補間サンプル値系列は、読取サンプル値系列ＲＳＣに含められて、サンプル値系列ＲＳＰとして、リミッタ１５２３及びサンプルホールド回路１５１４へ出力される。【００９８】
サンプルホールドされた読取サンプル値系列ＲＳＰは、減算器１５１５においてリファレンスレベルＲｆが減算される。但し、リファレンスレベルＲｆとしてゼロレベルを用いている場合は、Ｒｆ＝０となる。減算結果は、平均化回路１５１６へ出力される。平均化回路１５１６においては、サンプル値の平均値が算出される。算出されたサンプル値の平均値は、振幅制限値の上限及び下限として設定される。具体的には、リファレンスレベルに平均値を加算した値が、振幅制限値の上限、減算した値が振幅制限値の下限として設定される。リファレンスレベルとしてゼロレベルを用いている場合は、算出されたサンプル値の平均値に正の符号を付した値を振幅制限値の上限として設定し、算出されたサンプル値の平均値に負の符号を付した値を振幅制限値の下限として設定する。以下の説明では、説明の簡略化のために、リファレンスレベルＲｆとしてゼロレベルを用いた構成を説明する。【００９９】
具体的に、図４を参照して、振幅制限値設定ブロック１５１において設定される振幅制限値の上限及び下限について説明する。ここに、図４は、振幅制限値の上限及び下限の設定動作を、サンプル値系列ＲＳＣ上で概念的に示す波形図である。【０１００】
図３には、読取信号のうち、ランレングスが相対的に短いデータ（具体的には、光ディスク１００がＢｌｕ−ｒａｙ  Ｄｉｓｃである場合においては、ランレングスが２Ｔ、３Ｔ及び４Ｔのデータ）を読み取った際に得られる読取信号ＲＲＦとそのサンプル値系列ＲＳＣを示す。図３に示すように、ゼロクロス点の前（つまり、時間的に前）に位置する補間サンプル値（つまり、補間フィルタ１５２２において生成されたサンプル値）と、ゼロクロス点の後（つまり、時間的に後）に位置する補間サンプル値の平均値Ｌが、振幅制限値の上限及び下限の絶対値として設定される。つまり、振幅制限値の上限はＬと設定され、振幅制限値の下限が−Ｌと設定される。【０１０１】
再び図３において、リミッタ１５２３は、振幅制限値設定ブロック１５１において設定された上限及び下限に基づいて、サンプル値系列ＲＳＰに対して振幅制限を行う。具体的には、サンプル値系列ＲＳＰに含まれるサンプル値が、上限Ｌよりも小さく且つ下限−Ｌよりも大きい場合には、そのサンプル値をそのままサンプル値系列ＲＳＬＩＭとして出力する。一方、サンプル値系列ＲＳＰに含まれるサンプル値が、上限Ｌ以上である場合には、上限Ｌをサンプル値系列ＲＳＬＩＭとして出力する。他方、サンプル値系列ＲＳＰに含まれるサンプル値が、下限−Ｌ以下である場合には、下限−Ｌをサンプル値系列ＲＳＬＩＭとして出力する。【０１０２】
高域強調ブロック１５３においては、サンプル値系列ＲＳＬＩＭ中における最もランレングスが短いデータ（例えば、光ディスク１００がＤＶＤであればランレングス３Ｔのデータであり、光ディスク１００がＢｌｕ−ｒａｙ  Ｄｉｓｃであればランレングス２Ｔのデータ）に対応するサンプル値系列ＲＳＬＩＭのみ、その信号レベルを増大させる。【０１０３】
具体的には、高域強調ブロック１５３へ入力されるサンプル値系列ＲＳＬＩＭは、そのまま又は１クロックの遅延を付加する遅延器１５３２、１５３３及び１５３４を介して、乗算係数−ｋを有する係数乗算器１５３５及び１５３８、並びに乗算係数ｋを有する係数乗算器１５３６及び１５３７へ入力される。係数乗算器１５３６、１５３６、１５３７及び１５３８の出力は、加算器１５３９において加算される。その加算結果である高域読取サンプル値ＲＳＨＩＧは、加算器１５３１において、３クロックの遅延を付加する遅延器１５３０を介して加算器１５３１に入力される読取サンプル値系列ＲＳＣと加算される。その結果、高域強調読取サンプル値系列ＲＳＨが得られる。【０１０４】
ここで、図５を参照して、高域強調読取サンプル値系列ＲＳＨの取得動作についてより詳細に説明する。ここに、図５は、高域強調読取サンプル値系列ＲＳＨの取得動作を、サンプル値系列ＲＳＣ上で概念的に示す波形図である。【０１０５】
図５（ａ）に示すように、加算器１５３１から出力される高域読取サンプル値ＲＳＨＩＧは、サンプル値系列ＲＳＬＩＭ中における時点Ｄ（−１．５）、Ｄ（−０．５）、Ｄ（０．５）及びＤ（１．５）の夫々でのサンプル値に基づいて算出される。具体的には、サンプル値系列ＲＳＬＩＭ中における時点Ｄ（−１．５）、Ｄ（−０．５）、Ｄ（０．５）及びＤ（１．５）の夫々でのサンプル値を、Ｓｉｐ（−１）、Ｓｉｐ（０）、Ｓｉｐ（１）及びＳｉｐ（２）とすると、ＲＳＨＩＧ＝（−ｋ）×Ｓｉｐ（−１）＋ｋ×Ｓｉｐ（０）＋ｋ×Ｓｉｐ（１）＋（−ｋ）×Ｓｉｐ（２）となる。【０１０６】
このとき、図５（ｂ）に示すように、ランレングス２Ｔのデータに対応する時点Ｄ（−１．５）及びＤ（−０．５）におけるサンプル値Ｓｉｐ（−１）及びＳｉｐ（０）は、互いに略同一となる。また、ランレングス２Ｔのデータに対応する時点Ｄ（０．５）及びＤ（１．５）におけるサンプル値Ｓｉｐ（１）及びＳｉｐ（２）は、互いに略同一となる。【０１０７】
また、図５（ｃ）に示すように、ランレングス３Ｔ及び４Ｔの夫々のデータに対応する時点Ｄ（−１．５）及びＤ（−０．５）におけるサンプル値Ｓｉｐ（−１）及びＳｉｐ（０）は、振幅制限ブロック１５２による振幅制限により、共に振幅制限値の上限Ｌとなる。同様に、ランレングス３Ｔ及び４Ｔの夫々のデータに対応する時点Ｄ（０．５）及びＤ（１．５）におけるサンプル値Ｓｉｐ（１）及びＳｉｐ（２）は、振幅制限ブロック１５２による振幅制限により、共に振幅制限値の下限−Ｌとなる。つまり、リファレンスサンプル点前後のサンプル値のばらつきが強制的に抑制される。【０１０８】
このため、高域強調を強くかけるために、係数乗算器１５３６、１５３６、１５３７及び１５３８の係数ｋの値を大きくしても、ゼロクロス点Ｄ（０）において得られる高域読取サンプル値ＲＳＨＩＧは一定値に維持される。従って、符号間干渉は生じない。このように、リミットイコライザ１５を備える情報再生装置１によれば、高域強調した際に、符号間干渉が生ずる原因となるところの読取信号中におけるゼロクロス点前後のサンプル値のばらつきが強制的に抑えられる。このため、高域強調ブロック１５３において十分な高域強調を行っても符号間干渉が生ずることはない。【０１０９】
続いて、図６を参照して、波形歪みについて説明する。ここに、図６は、波形歪みを概念的に示す波形図である。【０１１０】
図６（ａ）に示すように、波形歪みは、本来とるべき信号レベルと実際に読取信号ＲＲＦに現れた信号レベルとの差を示す。この波形歪みは、読取信号ＲＲＦの最大振幅Ａに対する歪み量Ｄ及びゼロレベルから波形歪みの頂点までの信号レベルである波形歪み量Ｄ’で定量的に定義される。図６（ａ）において、太い点線は、波形歪みが発生していないときに本来とるべき信号レベルを示している。波形歪みが発生していない場合には、当然に波形歪み量Ｄはゼロである。【０１１１】
尚、図６（ａ）に示す波形歪みは、読取信号ＲＲＦの前端部及び後端部の信号レベルと比較して、中間部の信号レベルが変化してしまった波形歪みを示している。このような波形歪み以外にも、図６（ｂ）に示すように、読取信号ＲＲＦの後端部の信号レベルと比較して、前端部及び中間部の信号レベルが変化してしまった波形歪みや、図６（ｃ）に示すように、読取信号ＲＲＦの前端部の信号レベルと比較して、中間部及び後端部の信号レベルが変化してしまった波形歪みも存在しえる。いずれの波形歪みを対象としていても、後述する構成及び動作を採用することができることは言うまでもない。【０１１２】
また、本実施例においては、ランレングスが相対的に長い記録マーク（例えば、光ディスク１００がＤＶＤであればランレングス１１Ｔのデータであり、光ディスク１００がＢｌｕ−ｒａｙ  Ｄｉｓｃであればランレングス８Ｔのデータ）に対応する読取信号に発生する波形歪みに着目することが好ましい。或いは、同期データ（つまり、ｓｙｎｃデータ）の重要性を考慮すれば、同期データに対応する記録マーク（例えば、光ディスク１００がＤＶＤであればランレングス１４Ｔのデータであり、光ディスク１００がＢｌｕ−ｒａｙ  Ｄｉｓｃであればランレングス９Ｔのデータ）に対応する読取信号に発生する波形歪みに着目することが好ましい。【０１１３】
次に、長マーク（具体的には、光ディスク１００がＢｌｕ−ｒａｙ  Ｄｉｓｃである場合においては、ランレングスが２Ｔ及び３Ｔの記録マークであり、光ディスク１００がＤＶＤである場合においては、ランレングスが３Ｔ及び４Ｔの記録マーク）及び短マーク（具体的には、光ディスク１００がＢｌｕ−ｒａｙ  Ｄｉｓｃである場合においては、ランレングスが４Ｔから９Ｔの記録マークであり、光ディスク１００がＤＶＤである場合においては、ランレングスが５Ｔから１１Ｔ及び１４Ｔの記録マーク）の記録パワーの決定方法について説明する。まず、長マークの記録パワーについて説明する。本実施例では、長マークの記録パワーは、
（条件Ａ）  波形歪み（具体的には、波形歪み量Ｄ’）が、リミットイコライザ１５の振幅制限値の下限−Ｌ以下となる記録パワーとする、
（条件Ｂ）  波形歪み（具体的には、波形歪み量Ｄ’）が、ランレングスが２番目に短い記録マーク（具体的には、光ディスク１００がＢｌｕ−ｒａｙ  Ｄｉｓｃである場合においては、ランレングスが３Ｔの記録マークであり、光ディスク１００がＤＶＤである場合においては、ランレングスが４Ｔの記録マーク）に対応する読取信号の最小振幅以下となる記録パワーとする、
（条件Ｃ）  波形歪み（具体的には、波形歪み量Ｄ’）が、ランレングスが最も短い記録マーク（具体的には、光ディスク１００がＢｌｕ−ｒａｙ  Ｄｉｓｃである場合においては、ランレングスが２Ｔの記録マークであり、光ディスク１００がＤＶＤである場合においては、ランレングスが３Ｔの記録マーク）に対応する読取信号の最小振幅以下となる記録パワーとする、
の３つの方法が挙げられる。【０１１４】
まず、図７を参照しながら、条件Ａについて説明する。ここに、図７は、波形歪みと振幅制限値の下限−Ｌとの関係を、読取信号ＲＲＦ（或いは、サンプル値系列）上で概念的に示す波形図である。【０１１５】
図７に示すように、波形歪みが、リミットイコライザ１５の振幅制限値の下限−Ｌ以下となる条件Ａを満たすように記録パワーが決定される。つまり、波形歪みが、リミットイコライザ１５の振幅制限範囲（−ＬからＬ）内に含まれなくなるように記録パワーが決定される。【０１１６】
このように、条件Ａを満たす記録パワーで長マークを形成することで、図７に示すように、該長マークを読み取った際の読取信号ＲＲＦに発生し得る波形歪みが、リミットイコライザ１５の振幅制限範囲（−ＬからＬ）内に含まれなくなる。従って、波形歪みによる影響を排除しながら、リミットイコライザ１５において好適に高域強調を行うことができるような長マークを形成することができる。【０１１７】
この波形歪みによる影響を排除する効果について、図８及び図９を参照しながら説明する。ここに、図８は、波形歪みが振幅制限範囲内に含まれる場合（つまり、条件Ａを満たさない場合）及び波形歪みが振幅制限範囲内に含まれない場合（つまり、条件Ａを満たす場合）の夫々における高域強調読取サンプル値系列ＲＳＨの取得動作を、波形歪みが発生しているサンプル値系列ＲＳＣ上で概念的に示す波形図であり、図９は、振幅制限値の下限−Ｌと波形歪みとの位置関係に対するシンボルエラーレートの変化を示すグラフである。【０１１８】
図８（ａ）に示すように、波形歪みが振幅制限値の下限−Ｌを上回る信号レベルを有しているとする。つまり、条件Ａを満たさない記録パワーで長マークが形成されたとする。この場合、高域強調ブロック１５３から出力される高域強調読取サンプル値系列ＲＳＨは、高域強調読取サンプル値系列ＲＳＨＩＧとＳ（０）との和であり、ＲＳＨＩＧは、（−ｋ）×Ｓｉｐ（−１）＋ｋ×Ｓｉｐ（０）＋ｋ×Ｓｉｐ（１）＋（−ｋ）×Ｓｉｐ（２）にて示されることは前述した。ここで、Ｓｉｐ（−１）とＳｉｐ（２）は、下限Ｌ２に抑制されるため、ＲＳＨ＝Ｓ（０）＋ｋ×（−２×Ｌ２＋Ｓｉｐ（０）＋Ｓｉｐ（１））となる。これでは、下限Ｌ２とＳｉｐ（０）とＳｉｐ（１）の和をＫ倍した値だけ、高域強調読取サンプル値系列ＲＳＨの値が大きくなってしまう。これは、本来発生するべきでない波形歪みを強調してしまっているため好ましくない。更には、波形歪みが強調されることに起因して、例えばＰＲＭＬを採用する情報再生装置においては、例えばランレングスが相対的に長い記録マークを他の記録マークと誤判別してしまう不都合につながりかねない。【０１１９】
他方、図８（ｂ）に示すように、波形歪みが振幅制限値の下限−Ｌ以下の信号レベルを有しているとする。つまり、条件Ａを満たす記録パワーで長マークが形成されたとする。この場合、Ｓｉｐ（−１）とＳｉｐ（０）と、Ｓｉｐ（１）とＳｉｐ（２）は、下限Ｌ２に抑制されるため、ＲＳＨ＝Ｓ（０）となる。このため、波形歪みを強調する不都合を防ぐことができる。【０１２０】
このように、条件Ａを満たすような記録パワーで長マークを形成することによる効果は、振幅制限値の下限−Ｌと波形歪みとの位置関係に対するシンボルエラーレートの変化からも分かる。図９に示すように、波形歪みが下限−Ｌを超える信号レベルを有している場合（つまり、−Ｌ＋波形歪み量Ｄ’がマイナスとなる場合）と比較して、波形歪みが下限−Ｌ以下の信号レベルを有している場合（つまり、−Ｌ＋波形歪み量Ｄ’がプラスとなる場合）におけるＳＥＲの値は改善している。【０１２１】
続いて、図１０を参照しながら、条件Ｂについて説明する。ここに、図１０は、波形歪みと振幅制限値の下限−Ｌとの関係を、読取信号ＲＲＦ（或いは、サンプル値系列）上で概念的に示す波形図である。【０１２２】
図１０に示すように、波形歪みが、ランレングスが２番目に短い記録マークに対応する読取信号の最小振幅の信号レベル以下となる条件Ｂを満たすように記録パワーが決定される。【０１２３】
このように、条件Ｂを満たす記録パワーで長マークを形成することで、図１０に示すように、該長マークを読み取った際の読取信号ＲＲＦに発生し得る波形歪みが、リミットイコライザ１５の振幅制限範囲（−ＬからＬ）内に含まれなくなる。というのも、一般的には、振幅制限値の下限−Ｌは、ランレングスが最も短い記録マークに対応する読取信号の最小振幅以下であり且つランレングスが２番目に短い記録マークに対応する読取信号の最小振幅以上であるからである。従って、条件Ｂを満たすように記録パワーを決定した場合においても、条件Ａを満たすように記録パワーを決定した場合と同様に、波形歪みによる影響を排除しながら、リミットイコライザ１５において好適に高域強調を行うことができるようなマークを形成することができる。【０１２４】
続いて、図１１を参照しながら、条件Ｃについて説明する。ここに、図１１は、波形歪みと振幅制限値の下限−Ｌとの関係を、読取信号ＲＲＦ（或いは、サンプル値系列）上で概念的に示す波形図である。【０１２５】
図１１に示すように、波形歪みが、ランレングスが最も短い記録マークに対応する読取信号の最小振幅の信号レベル以下となる条件Ｃを満たすように記録パワーが決定される。【０１２６】
このように、条件Ｃを満たす記録パワーで長マークを形成することで、図１１に示すように、該長マークを読み取った際の読取信号ＲＲＦに発生し得る波形歪みが、リミットイコライザ１５の振幅制限範囲（−ＬからＬ）内に含まれなくなる蓋然性が高くなる。というのも、一般的には、振幅制限値の下限−Ｌは、ランレングスが最も短い記録マークに対応する読取信号の最小振幅以下であり且つランレングスが２番目に短い記録マークに対応する読取信号の最小振幅以上であるからである。従って、条件Ｃを満たすように記録パワーを決定した場合においても、条件Ａや条件Ｂを満たすように記録パワーを決定した場合ほどではないにしろ、波形歪みによる影響をある程度排除しながら、リミットイコライザ１５において高域強調を行うことができるようなマークを形成することができる。【０１２７】
尚、以上の説明では、記録マークを形成することによって、レーザ光ＬＢの反射率が減少する光ディスク１００を対象とした動作について説明した。つまり、ゼロレベル以下の信号レベルにおいて、信号レベルが意図せず増加するような波形歪みが発生する場合を対象とした動作について説明した。しかしながら、図１２（ａ）に示すように、データを記録することによって、レーザ光ＬＢの反射率が増加する光ディスク１００を対象としてもよい。つまり、ゼロレベル以上の信号レベルにおいて、信号レベルが意図せず減少するような波形歪みが発生する場合を対象としてもよい。尚、ゼロレベル以上の信号レベルにおいて、信号レベルが意図せず減少するような波形歪みが発生する場合においても、ゼロレベル以上の信号レベルにおいて、図６（ｂ）において示した信号レベルが意図せず減少するような波形歪みが発生する場合と同様に、図１２（ｂ）に示すように、読取信号ＲＲＦの後端部の信号レベルと比較して、前端部及び中間部の信号レベルが変化してしまった波形歪みや、図１２（ｃ）に示すように、読取信号ＲＲＦの前端部の信号レベルと比較して、中間部及び後端部の信号レベルが変化してしまった波形歪みも存在しえる。【０１２８】
このような、データを記録することによって、レーザ光ＬＢの反射率が増加する光ディスク１００を対象とする場合の記録パワーの決定方法について説明を進める。このような場合、長マークの記録パワーは、
（条件Ｄ）  波形歪み（具体的には、波形歪み量Ｄ’）が、リミットイコライザ１５の振幅制限値の上限Ｌ以上となる記録パワーとする、
（条件Ｅ）  波形歪み（具体的には、波形歪み量Ｄ’）が、ランレングスが２番目に短い記録マーク（具体的には、光ディスク１００がＢｌｕ−ｒａｙ  Ｄｉｓｃである場合においては、ランレングスが３Ｔの記録マークであり、光ディスク１００がＤＶＤである場合においては、ランレングスが４Ｔの記録マーク）に対応する読取信号の最大振幅以上となる記録パワーとする、
（条件Ｆ）  波形歪み（具体的には、波形歪み量Ｄ’）が、ランレングスが最も短い記録マーク（具体的には、光ディスク１００がＢｌｕ−ｒａｙ  Ｄｉｓｃである場合においては、ランレングスが２Ｔの記録マークであり、光ディスク１００がＤＶＤである場合においては、ランレングスが３Ｔの記録マーク）に対応する読取信号の最大振幅以上となる記録パワーとする、
の３つの方法が挙げられる。【０１２９】
まず、図１３を参照しながら、条件Ｄについて説明する。ここに、図１３は、波形歪みと振幅制限値の上限Ｌとの関係を、読取信号ＲＲＦ（或いは、サンプル値系列）上で概念的に示す波形図である。【０１３０】
図１３に示すように、波形歪みが、リミットイコライザ１５の振幅制限値の上限Ｌ以上となる条件Ｄを満たすように記録パワーが決定される。つまり、波形歪みが、リミットイコライザ１５の振幅制限範囲（−ＬからＬ）内に含まれなくなるように記録パワーが決定される。【０１３１】
このように、条件Ｄを満たす記録パワーで長マークを形成することで、図１３に示すように、該長マークを読み取った際の読取信号ＲＲＦに発生し得る波形歪みが、リミットイコライザ１５の振幅制限範囲（−ＬからＬ）内に含まれなくなる。従って、波形歪みによる影響を排除しながら、リミットイコライザ１５において好適に高域強調を行うことができるような長マークを形成することができる。【０１３２】
続いて、図１４を参照しながら、条件Ｅについて説明する。ここに、図１４は、波形歪みと振幅制限値の上限Ｌとの関係を、読取信号ＲＲＦ（或いは、サンプル値系列）上で概念的に示す波形図である。【０１３３】
図１４に示すように、波形歪みが、ランレングスが２番目に短い記録マークに対応する読取信号の最大振幅の信号レベル以上となる条件Ｅを満たすように記録パワーが決定される。【０１３４】
このように、条件Ｅを満たす記録パワーで長マークを形成することで、図１４に示すように、該長マークを読み取った際の読取信号ＲＲＦに発生し得る波形歪みが、リミットイコライザ１５の振幅制限範囲（−ＬからＬ）内に含まれなくなる。というのも、一般的には、振幅制限値の上限Ｌは、ランレングスが最も短い記録マークに対応する読取信号の最大振幅以上であり且つランレングスが２番目に短い記録マークに対応する読取信号の最大振幅以下であるからである。従って、条件Ｅを満たすように記録パワーを決定した場合においても、条件Ｄを満たすように記録パワーを決定した場合と同様に、波形歪みによる影響を排除しながら、リミットイコライザ１５において好適に高域強調を行うことができるようなマークを形成することができる。【０１３５】
続いて、図１５を参照しながら、条件Ｆについて説明する。ここに、図１５は、波形歪みと振幅制限値の上限Ｌとの関係を、読取信号ＲＲＦ（或いは、サンプル値系列）上で概念的に示す波形図である。【０１３６】
図１５に示すように、波形歪みが、ランレングスが最も短い記録マークに対応する読取信号の最大振幅の信号レベル以上となる条件Ｆを満たすように記録パワーが決定される。【０１３７】
このように、条件Ｆを満たす記録パワーで長マークを形成することで、図１５に示すように、該長マークを読み取った際の読取信号ＲＲＦに発生し得る波形歪みが、リミットイコライザ１５の振幅制限範囲（−ＬからＬ）内に含まれなくなる蓋然性が高くなる。というのも、一般的には、振幅制限値の上限Ｌは、ランレングスが最も短い記録マークに対応する読取信号の最大振幅以上であり且つランレングスが２番目に短い記録マークに対応する読取信号の最大振幅以下であるからである。従って、条件Ｆを満たすように記録パワーを決定した場合においても、条件Ｄや条件Ｅを満たすように記録パワーを決定した場合ほどではないにしろ、波形歪みによる影響をある程度排除しながら、リミットイコライザ１５において高域強調を行うことができるようなマークを形成することができる。【０１３８】
尚、長マークの記録パワーは、上述の条件Ａから条件Ｆの少なくとも一つを満たすことに加えて、
（条件Ｇ）  変調度が４０％以上となる記録パワーとする
ように構成してもよい。【０１３９】
「変調度」とは、記録媒体に記録したデータを読み出して得られる読取信号ＲＲＦの振幅と、読取信号ＲＲＦのゼロレベルとピークレベルとの差との割合をいう。図１６には、記録媒体を再生して得られる読取信号ＲＲＦの波形の例を示している。即ち、変調度は、読取信号ＲＲＦの振幅ＩｍａｘＨ−ＩｍａｘＬと、ゼロレベルとピークレベルとの差ＩｍａｘＨとの割合であり、下式で与えられる。【０１４０】
変調度  ＝  （ＩｍａｘＨ−ＩｍａｘＬ）／ＩｍａｘＨ
一般に、記録媒体に対する記録マークの形成が不十分であると変調度が低くなり、再生信号におけるノイズの影響が大きくなる。よって、Ｓ／Ｎ比が低下し、再生互換性に悪影響が生じる。なお、「再生互換性がある」とは、ある情報記録装置により記録した記録媒体を他の情報再生装置により適正に再生できることをいう。【０１４１】
他方で、記録条件や記録媒体にも依存するが、記録パワーの増加とともに変調度が大きくなると仮定すると、その増加はある程度の記録パワーで飽和する。【０１４２】
しかし、変調度が大きくなるほど、ＤＶＤ−Ｒの場合のＬＰＰエラー率やＡＲなど、ＤＶＤ＋Ｒの場合のＡＤＩＰエラー率などに悪影響が及ぶ可能性が高くなる。ＡＲは、ＤＶＤ−ＲにおけるＬＰＰ検出波形の開口率を示し、ＬＰＰが正しく検出できるか否かの指標である。ＬＰＰエラー率は再生ＲＦ信号中のＬＰＰ信号のエラー率を示す。前述のように、再生互換性を確保するためには、変調度は６０％以上とすることが望ましいが、変調度が大きくなり過ぎると、記録媒体のグルーブ上に形成されるピット幅が大きくなり、グルーブに隣接して形成されているＬＰＰを読み取り不能としてしまうことがある。これによりＡＲやＬＰＰエラー率が悪化する。また、ＤＶＤ＋Ｒの場合も、変調度が大きくなり過ぎると、形成されるピットが大きくなりすぎ、ディスク上に予め記録されているプリアドレスなどが読み取り不能となる。これにより、ＡＤＩＰエラー率などが悪化する。【０１４３】
また、変調度が大きいと、隣接する他のマーク、特に短いマークに対する熱的影響が増加し、熱干渉などにより記録特性の劣化が生じる。さらには、記録パワーの変化に対する変調度の変化量が小さくなるので、例えばＲＯＰＣ（Running Optimum Power Control）など、変調度を特性の検出などに使用する場合には検出精度が低下する。【０１４４】
更に、変調度が大きくなると、それに伴って波形歪みも大きくなってしまう。【０１４５】
このように、変調度が大きすぎると各種の不具合が生じうる。よって、変調度は、再生互換性が保たれる範囲内でできる限り小さくすること、例えば「０．４」（４０％）程度とすることが望ましい。また、上記の各種の不具合を防止する観点からは、変調度の上限を「０．８」（８０％）程度とすることが望ましい。以上より、長マークのピークパワーＰonは、再生互換性が保たれる範囲とすることが望ましく、具体的には変調度が０．４〜０．８程度の範囲内となる値とすることが望ましく、特に変調度を０．４程度とすることが望ましい。【０１４６】
次に、短マークの記録パワーの決定方法について説明する。本実施例では、短マークの記録パワーの決定方法は、
（条件ａ）  アシンメトリが規格範囲内に収まる記録パワーとする
方法がある。具体的には、光ディスク１００がＢｌｕ−ｒａｙ  Ｄｉｓｃであれば、アシンメトリが−０．１０から０．１５の範囲内に収まる記録パワーとすることが条件ａに相当する。光ディスク１００がＤＶＤであれば、アシンメトリが−０．０５から０．１５の範囲内に収まる記録パワーとすることが条件ａに相当する。尚、短マークの記録パワーを決定することに加えて又は代えて、短マークのパルス幅を、アシンメトリが規格範囲内に収まるパルス幅とする条件ｂを満たすように決定してもよい。【０１４７】
また、図１を用いて説明した記録パルス波形においては、長マークの記録パワーと短マークの記録パワーとを同一のピークパワーＰｏとしている。しかしながら、長マークの記録パワーと短マークの記録パワーとを夫々異なるピークパワーとしてもよい。具体的には、図１７には、記録パルスの他の第１例を示す。図１７中の記録パルス＃１のように、２Ｔの長さのマークに対応する記録パルスのピークパワーＰｏ１と、２Ｔ以外の長さのマークに対応する記録パルスのピークパワーＰｏ２とが異なる値を有するように構成してもよい。この場合、２Ｔの長さのマークに対応する記録パルスのピークパワーＰｏ１を可変に設定するように構成してもよいし、２Ｔ以外の長さのマークに対応する記録パルスのピークパワーＰｏ２を可変に設定するように構成してもよい。或いは、短マークの記録パワーも複数種類のピークパワーを取り得るように構成してもよい。具体的には、図１７中の記録パルス＃２のように、２Ｔの長さのマークに対応する記録パルスのピークパワーＰｏ１と、３Ｔの長さのマークに対応する記録パルスのピークパワーＰｏ２と、２Ｔ及び３Ｔ以外の長柄のマークに対応する記録パルスのピークパワーＰｏ３とが夫々異なる値を有するように構成してもよい。この場合、２Ｔの長さのマークに対応する記録パルスのピークパワーＰｏ１を可変に設定するように構成してもよいし、３Ｔの長さのマークに対応する記録パルスのピークパワーＰｏ２を可変に設定するように構成してもよいし、２Ｔ及び３Ｔ以外の長さのマークに対応する記録パルスのピークパワーＰｏ３を可変に設定するように構成してもよい。【０１４８】
或いは、長マークの記録パルスのパルス幅と短マークの記録パルスのパルス幅とを夫々異なるパルス幅としてもよい。具体的には、図１８には、記録パルスの他の第１例を示す。図１８中の記録パルス＃１のように、２Ｔの長さのマークに対応する記録パルスのパルス幅を可変に設定するように構成してもよい。図１８中の記録パルス＃２のように、２Ｔの長さのマークに対応する記録パルスのパルス幅及び３Ｔの長さのマークに対応する記録パルスのパルス幅とを可変に設定するように構成してもよい。【０１４９】
尚、アシンメトリについて、参考までに説明を加える。図１９は、アシンメトリ値を説明するための波形図である。図１９に示すように、アシンメトリ値は、ランレングスが最も長いデータに対応する読取信号ＲＲＦの振幅中心に対する、ランレングスが最も短いデータに対応する読取信号の振幅中心のずれを示す。具体的には、ランレングスが最も長いデータに対応する読取信号ＲＲＦの振幅中心をＩｍａｘＣｎｔとし、ＩｍａｘＣｎｔを基準とするランレングスが最も長いデータに対応する読取信号ＲＲＦのトップ振幅の大きさをＩｍａｘＨとし、ＩｍａｘＣｎｔを基準とするランレングスが最も長いデータに対応する読取信号ＲＲＦのボトム振幅の大きさをＩｍａｘＬとし、ＩｍａｘＣｎｔを基準とするランレングスが最も短いデータに対応する読取信号ＲＲＦのトップ振幅の大きさをＩｍｉｎＨとし、ＩｍａｘＣｎｔを基準とするランレングスが最も短いデータに対応する読取信号ＲＲＦのボトム振幅の大きさをＩｍｉｎＬとすると、アシンメトリ値Ａｓｙ＝（（ＩｍａｘＨ＋ＩｍａｘＬ）−（ＩｍｉｎＨ＋ＩｍｉｎＬ））／（２×（ＩｍａｘＨ＋ＩｍａｘＬ））にて示される。尚、ＩｍａｘＣｎｔは、ランレングスが最も長いデータに対応する読取信号ＲＲＦのトップ振幅値とボトム振幅値との平均値である。【０１５０】
尚、上述の説明では、ランレングスが最も短い記録マーク及びランレングスが２番目に短い記録マークを短マークとし、それ以外の記録マークを長マークとしていた。しかしながら、ランレングスが最も短い記録マークのみを短マークとし、それ以外の記録マークを長マークとしてもよい。或いは、読取信号の振幅が最大振幅にならない記録マーク（具体的には、光ディスク１００がＤＶＤであれば、ランレングスが３Ｔ及び４Ｔの記録マークであり、光ディスク１００がＢｌｕ−ｒａｙ  Ｄｉｓｃであれば、ランレングスが２Ｔから４Ｔの記録マーク）を短マークとし、読取信号の振幅が最大振幅になる記録マーク（具体的には、光ディスク１００がＤＶＤであれば、ランレングスが５Ｔから１１Ｔ及び１４Ｔの記録マークであり、光ディスク１００がＢｌｕ−ｒａｙ  Ｄｉｓｃであれば、ランレングスが５Ｔから９Ｔの記録マーク）を短マークとしてもよい。【０１５１】
続いて、図２０に、本発明を適用した情報記録装置の全体構成を概略的に示す。情報記録装置２は、光ディスク１００にデータを記録するための装置である。光ディスク１００としては、例えば上述したようにＤＶＤ或いはＢｌｕ−ｒａｙ  Ｄｉｓｃ等を含む種々の光ディスクを使用することができる。【０１５２】
情報記録装置２は、光ディスク１００に対してレーザ光ＬＢを照射する光ピックアップ２１と、光ディスク１００の回転を制御するスピンドルモータ２０と、光ディスク１００への情報の記録を制御する記録制御部２２と、スピンドルモータ２０の回転を制御するスピンドルサーボ、並びに光ピックアップ２１の光ディスク１００に対する相対的位置制御であるフォーカスサーボ及びトラッキングサーボを含む各種サーボ制御を行うためのサーボ制御部２３とを備える。【０１５３】
記録制御部２２は記録信号を受け取り、後述の処理により光ピックアップ２１内部のレーザダイオードを駆動するための駆動信号ＳDを生成して、これを光ピックアップ２１へ供給する。【０１５４】
サーボ制御部２３は、光ピックアップ２からの読取信号ＲＲＦを受け取り、これに基づいてトラッキングエラー信号及びフォーカス信号などのサーボ信号Ｓ１を光ピックアップ２１へ供給するとともに、スピンドルサーボ信号Ｓ２をスピンドルモータ２０へ供給する。これにより、トラッキングサーボ、フォーカスサーボ、スピンドルサーボなどの各種サーボ処理が実行される。【０１５５】
図２１に、光ピックアップ２１及び記録制御部２２の内部構成を示す。図２１に示すように、光ピックアップ２１は、光ディスク１００に対してデータを記録するためのレーザ光ＬＢ及を生成するレーザダイオード２１１と、レーザダイオード２１１から出射されたレーザ光ＬＢを受光して、レーザ光ＬＢに対応するレーザパワーレベル信号ＬＤｏｕｔを出力するフロントモニタダイオード（ＦＭＤ）２１２とを備える。【０１５６】
一方、記録制御部２２は、レーザダイオード（ＬＤ）ドライバ２２１と、ＡＰＣ（Automatic Power Control）回路２２２と、サンプルホールド（Ｓ／Ｈ）回路２２３と、コントローラ２２４とを備える。【０１５７】
ＬＤドライバ２２１は、記録信号に応じた電流をレーザダイオード２１１に供給して、光ディスクＤへ情報の記録を行う。フロントモニタダイオード２１２は、光ピックアップ２１内のレーザダイオード２１１の近傍に配置され、レーザダイオード２１１から出射されるレーザ光ＬＢを受光して、そのレベルを示すレーザパワーレベル信号ＬＤoutを出力する。【０１５８】
サンプルホールド回路２２３は、サンプルホールド信号ＡＰＣ−Ｓ／Ｈにより規定されるタイミングでレーザパワーレベル信号ＬＤｏｕｔのレベルをサンプルし、ホールドする。ＡＰＣ回路２２２は、サンプルホールド回路２２３の出力信号に基づき、レーザダイオード２１１から出射されるレーザ光ＬＢのスペースパワーＰｓが一定となるようにＬＤドライバ２２１のパワー制御を行う。【０１５９】
コントローラ２２４は、主として記録動作とＡＰＣ動作とを行う。まず、記録動作について説明する。記録動作では、コントローラ２２４はレーザダイオード２２１へ供給される電流量を制御するスイッチの切換信号ＳＷＲ、ＳＷＷ１、ＳＷＷ２及びＳＷＷ３を生成して、ＬＤドライバ２２１へ供給する。【０１６０】
図２２にＬＤドライバ２２１の詳細構成を示す。図２２に示すように、ＬＤドライバ２２１は、クーリングレベル用の電流源２２１１、ライトレベル用の電流源２２１２及び２２１３、スペースレベル用の電流源２２１４、スイッチ２２１５、２２１６、２２１７及び２２１８を備える。【０１６１】
クーリングレベル用の電流源２２１１は、レーザダイオード２１１にクーリングパワーＰｃｌでレーザ光ＬＢを出射させるための駆動電流ＩＲを流す電流源であり、駆動電流ＩＲはスイッチ２２１５を介してレーザダイオード２１１に供給される。よって、スイッチ２２１５をオンにするとレーザダイオード２１１にクーリングパワーｐｃｌの駆動電流ＩＲが供給され、スイッチ２２１５をオフにすると駆動電流ＩＲの供給は停止される。【０１６２】
ライトレベル用の電流源２２１２及び２２１３は、それぞれレーザダイオード２１１にライトパワーでレーザ光ＬＢを出射させるための駆動電流ＩＷ１及びＩＷ２を流す電流源である。駆動電流ＩＷ１はスイッチ２２１６を介してレーザダイオード２１１に供給され、駆動電流ＩＷ２はスイッチ２２１７を介してレーザダイオード２１１に供給される。【０１６３】
スペースレベル用の電流源２２１４は、レーザダイオード２１１にスペースパワーＰｓでレーザ光ＬＢを出射させるための駆動電流ＩＷ３を流す電流源である。駆動電流ＩＷ３は、スイッチ２２１８を介してレーザダイオード２１１に供給される。【０１６４】
本発明によるライトストラテジーでは、第１のライトパワー（ピークパワー）Ｐｏと、
それより低い第２のライトパワー（中間パワー）Ｐｍの２つのレベルのライトパワーと、スペースパワーＰｓが使用される（図１など参照）。スイッチ２２１５をオンにした状態で、スイッチ２２１８をオンにすると、レーザダイオード２１１に駆動電流ＩＲ及びＩＷ３の合計駆動電流が供給され、これによりスペースパワーＰｓでレーザダイオード２１１が駆動される。また、スイッチ２２１５及び２２１８をオンにした状態でさらにスイッチ２２１７をオンにすると、レーザダイオード２１１にはさらに駆動電流ＩＷ２が供給され、その結果、レーザダイオード２１１には駆動電流ＩＲ、ＩＷ３及びＩＷ２の合計の駆動電流が流れてレーザダイオード２１１は第２のライトパワーＰｍで駆動される。また、スイッチ２２１５、２２１７及び２２１８をオンにした状態でさらにスイッチ２２１６をオンにすると、レーザダイオード２１１にはさらに駆動電流ＩＷ１が供給され、その結果、レーザダイオード２１１には駆動電流ＩＲ、ＩＷ３、ＩＷ２及びＩＷ１の合計の駆動電流が流れてレーザダイオード２１１は第１のライトパワーＰｏで駆動される。スイッチ２２１６をオフにすると駆動電流ＩＷ１の供給は停止され、スイッチ２２１７をオフにすると駆動電流ＩＷ２の供給は停止され、スイッチ２２１８をオフにすると駆動電流ＩＷ３の供給は停止される。【０１６５】
図２３に、レーザダイオード２１１に供給される駆動電流と、レーザダイオード２１１から出射されるレーザ光の出力パワーとの関係を示す。図２３からわかるように、レーザダイオード２１１に駆動電流ＩＲを供給すると、クーリングパワーＰｃｌでレーザ光ＬＢが出射される。その状態でさらに駆動電流ＩＷ３を加えると、スペースパワーＰｓでレーザ光が出射される。その状態でさらに駆動電流ＩＷ２を加えると、第２のライトパワーＰｍでレーザ光ＬＢが出射される。また、さらに駆動電流ＩＷ１を加えると、第１のライトパワーＰｏでレーザ光が出射される。【０１６６】
光ディスク１００へのデータの記録時には、基本的には駆動電流ＩＲを常に供給してクーリングパワーＰｃｌでレーザ光ＬＢを出射しておき、さらに記録パルスに従って駆動電流ＩＷ１及びＩＷ２を追加することにより第１のライトパワーＰｏ又は第２のライトパワーＰｍが印加されて、データが光ディスク１００に記録される。【０１６７】
次に、ＡＰＣ動作について説明する。ＡＰＣ動作は、レーザダイオード２１１により出力されるレーザ光ＬＢのスペースパワーＰｓのレベルが一定となるように、ＬＤドライバ２２１からレーザダイオード２１１に供給される駆動電流レベルを調整するものである。より詳細には、記録信号（８−１６変調されており、３Ｔ〜１１Ｔ、１４Ｔの長さのマーク期間及びスペース期間を有する）のスペース部のうち、長いスペース期間（例えば５Ｔ〜１１Ｔ、１４Ｔのスペース期間）中において、スペースパワーＰｓのレベルが一定となるように記録制御部１０からの駆動信号ＳＤを調整する。【０１６８】
具体的には以下のように動作する。コントローラ２２４は、上述のように記録信号に対応する記録パルスを生成して、当該記録パルスによってＬＤドライバ２２１を駆動してレーザダイオード２１１からレーザ光ＬＢを出射させる。【０１６９】
フロントモニタダイオード２１２は、光ピックアップ２１内のレーザダイオード２１１の近傍に配置され、レーザダイオード２１１から出射したレーザ光ＬＢを受光してそのレベルを示すレーザパワーレベル信号ＬＤｏｕｔを生成し、サンプルホールド回路２２３に供給する。【０１７０】
サンプルホールド回路２２３は、コントローラ２２４から入力されるサンプルホールド信号ＡＰＣ−Ｓ／Ｈにより与えられるタイミングで、フロントモニタダイオード２１２から供給されるレーザパワーレベル信号ＬＤｏｕｔをサンプルし、そのレベルを所定期間ホールドする。コントローラ２２４から出力されるサンプルホールド信号ＡＰＣ−Ｓ／Ｈは、ＡＰＣを実行する期間（「ＡＰＣ期間」と呼ぶ。）を示すパルスである。【０１７１】
よってサンプルホールド回路２２３は、記録信号のスペース期間中のＡＰＣ期間においてレーザパワーレベル信号ＬＤｏｕｔのレベルをホールドしてＡＰＣ回路２２２へ供給する。ＡＰＣ回路２２２は、ＡＰＣ期間におけるレーザパワーレベル信号ＬＤｏｕｔのレベルが一定となるように、ＬＤドライバ２２１へ制御信号ＳＡＰＣを供給する。【０１７２】
制御信号ＳＡＰＣは、ＬＤドライバ２２１内のスペースレベル用の電流源２２１４に入力される。これにより、制御信号ＳＡＰＣに応じて、スペースレベル用の電流源２２１４から流れる電流ＩＷ３が変化する。つまり、レーザダイオード２１１により得られるスペースパワーレベルが一定となるようにＡＰＣが実行される。【０１７３】
続いて、情報記録装置２の動作の流れについて説明する。以下に述べる記録処理は、主として図２１に示すコントローラ２２４が、外部から供給される記録信号に基づいて、ＬＤドライバ２２１などを制御することにより実行される。図２４は、情報記録装置２の動作の流れを示すフローチャートである。尚、コントローラ２２４は、以下に示す処理に対応する予め用意されたプログラムを実行することにより、記録処理を実行することができる。【０１７４】
図２４に示すように、まず、記録データを含む記録信号を受け取ると（ステップＳ１０１）、コントローラ２２４は、上述の条件Ａ、条件Ｂ、条件Ｃ、条件Ｄ、条件Ｅ及び条件Ｆの少なくとも一つを満たす記録パワーを決定する（ステップＳ１０２）。このとき、条件Ａ、条件Ｂ、条件Ｃ、条件Ｄ、条件Ｅ及び条件Ｆの少なくとも一つと条件Ｇとの夫々を満たす記録パワーを決定してもよい。その後、コントローラ２２４は、上述の条件ａを満たす記録パワーや条件ｂを満たすパルス幅を決定する（ステップＳ１０３）。【０１７５】
そして、コントローラ２２４は、ステップＳ１０２及びステップＳ１０３において決定された記録パワー及びパルス幅に対応する制御信号をＬＤドライバ２２１へ供給する。ＬＤドライバ２２１は、供給された制御信号に基づいてレーザダイオード２１を駆動し、記録データに対応する記録マークを光ディスク１００に記録する（ステップＳ１０４）。こうして、入力された記録信号が光ディスク１００に記録される。【０１７６】
情報記録装置２は特に、長マークを形成する場合には、上述した条件Ａ、条件Ｂ、条件Ｃ、条件Ｄ、条件Ｅ又は条件Ｆ（更には、条件Ｇ）を満たすような記録パワーでレーザ光ＬＢを出力する。また、短マークを形成する場合には、上述した条件Ａを満たすような記録パワーでレーザ光ＬＢを出力する。従って、上述した各種効果を好適に享受することができる。【０１７７】
なお、上記の実施例では、本発明をＤＶＤ（より具体的には、ＤＶＤ−Ｒ／ＲＷ、ＤＶＤ＋Ｒ／ＲＷ）やＢｌｕ−ｒａｙ  Ｄｉｓｃに適用した例を示したが、本発明は同様にＨＤ  ＤＶＤ、ＤＶＤ−ＲＡＭ等にも適用することが可能である。【０１７８】
本発明は、上述した実施例に限られるものではなく、請求の範囲及び明細書全体から読み取れる発明の要旨或いは思想に反しない範囲で適宜変更可能であり、そのような変更を伴う情報記録装置及び方法、並びにコンピュータプログラムもまた本発明の技術的範囲に含まれるものである。
【図１】
2008053544.tif 000003
【図２】
2008053544.tif 000004
【図３】
2008053544.tif 000005
【図４】
2008053544.tif 000006
【図５】
2008053544.tif 000007
【図６】
2008053544.tif 000008
【図７】
2008053544.tif 000009
【図８】
2008053544.tif 000010
【図９】
2008053544.tif 000011
【図１０】
2008053544.tif 000012
【図１１】
2008053544.tif 000013
【図１２】
2008053544.tif 000014
【図１３】
2008053544.tif 000015
【図１４】
2008053544.tif 000016
【図１５】
2008053544.tif 000017
【図１６】
2008053544.tif 000018
【図１７】
2008053544.tif 000019
【図１８】
2008053544.tif 000020
【図１９】
2008053544.tif 000021
【図２０】
2008053544.tif 000022
【図２１】
2008053544.tif 000023
【図２２】
2008053544.tif 000024
【図２３】
2008053544.tif 000025
【図２４】
2008053544.tif 000026
【手続補正書】
【提出日】平成21年3月27日(2009.3.27)
【手続補正１】
【補正対象書類名】明細書
【補正対象項目名】０１４９
【補正方法】変更
【補正の内容】
【０１４９】
尚、アシンメトリについて、参考までに説明を加える。図１９は、アシンメトリ値を説明するための波形図である。図１９に示すように、アシンメトリ値は、ランレングスが最も長いデータに対応する読取信号ＲＲＦの振幅中心に対する、ランレングスが最も短いデータに対応する読取信号の振幅中心のずれを示す。具体的には、ランレングスが最も長いデータに対応する読取信号ＲＲＦの振幅中心をＩｍａｘＣｎｔとし、ＩｍａｘＣｎｔを基準とするランレングスが最も長いデータに対応する読取信号ＲＲＦのトップ振幅の大きさをＩｍａｘＨとし、ＩｍａｘＣｎｔを基準とするランレングスが最も長いデータに対応する読取信号ＲＲＦのボトム振幅の大きさをＩｍａｘＬとし、ＩｍａｘＣｎｔを基準とするランレングスが最も短いデータに対応する読取信号ＲＲＦのトップ振幅の大きさをＩｍｉｎＨとし、ＩｍａｘＣｎｔを基準とするランレングスが最も短いデータに対応する読取信号ＲＲＦのボトム振幅の大きさをＩｍｉｎＬとすると、アシンメトリ値Ａｓｙ＝（（ＩｍａｘＨ＋ＩｍａｘＬ）−（ＩｍｉｎＨ＋ＩｍｉｎＬ））／（２×（ＩｍａｘＨ−ＩｍａｘＬ））にて示される。尚、ＩｍａｘＣｎｔは、ランレングスが最も長いデータに対応する読取信号ＲＲＦのトップ振幅値とボトム振幅値との平均値である。
【手続補正２】
【補正対象書類名】図面
【補正対象項目名】図３
【補正方法】変更
【補正の内容】
【図３】
2008053544.tif 000027
【国際調査報告】
2008053544.tif 000028
2008053544.tif 000029
2008053544.tif 000030
2008053544.tif 000031
2008053544.tif 000032
2008053544.tif 000033
2008053544.tif 000034